(57)【要約】【課題】  メディアの乾燥の効率を向上させることが可能なインクジェットプリンタ及び印刷方法を提供する。【解決手段】  メディア５０にインクを吐出するインクジェットヘッド２６と、インクを吐出されたメディア５０が、その内部を通過することが可能な導波管１００ａと、導波管１００ａ内に電磁波を供給するマグネトロン１５０とを備える。送気機７１及び吸気機７２が導波管１００ａ内に空気を流通させる。導波管１００内に供給された電磁波により、印刷後のメディア５０を連続した工程で効率良く乾燥させることができる。また、電磁波によってメディア５０に吐出されたインク中の水分が蒸発したときに、水蒸気は導波管１００ａ内を流通する空気によって管外に排出されるため、水蒸気が電磁波のエネルギーを吸収して乾燥の効率を低下させることを防ぎ、メディア５０の乾燥の効率を向上させることが可能となる。【選択図】図１
2010005915.tif 000002
【特許請求の範囲】
【請求項１】
シート状の記録媒体の表面及び裏面のいずれかにインクを吐出する吐出手段と、
前記吐出手段によりインクを吐出された前記記録媒体が、その内部を通過することが可能なように構成された導波管と、
前記導波管内に電磁波を供給する電磁波供給手段と、
前記導波管内に気体を流通させる送風手段と、
を備えたインクジェットプリンタ。
【請求項２】
前記送風手段は、前記導波管の長手方向に沿って前記気体を流通させる、請求項１に記載のインクジェットプリンタ。
【請求項３】
前記送風手段は、前記導波管の長手方向における前記電磁波供給手段が前記電磁波を供給する側から、前記電磁波が前記導波管内を伝播する方向に向かって前記気体を流通させる、請求項２に記載のインクジェットプリンタ。
【請求項４】
前記送風手段は、前記導波管の長手方向における一端から前記気体を送気し、前記導波管の長手方向における他端から前記気体を吸気することにより前記気体を流通させる、請求項２又は３に記載のインクジェットプリンタ。
【請求項５】
前記送風手段は、前記導波管内を通過する前記記録媒体の前記表面及び前記裏面のいずれかに対して垂直方向に前記気体を流通させる、請求項１に記載のインクジェットプリンタ。
【請求項６】
前記送風手段は、前記記録媒体の前記表面及び前記裏面のいずれかの内で前記吐出手段が前記インクを供給した方に対して前記気体を流通させる、請求項５に記載のインクジェットプリンタ。
【請求項７】
前記導波管は、前記送風手段が流通させる前記気体が流入する流入口部と、前記送風手段が流通させる前記気体が流出する流出口部とを有し、
前記流入口部及び前記流出口部は、前記気体がその内部を流通可能に構成された単数及び複数のいずれかの角管部を含み、
前記角管部の前記気体の流通方向に垂直な横断面における各内壁面の長さａ及びｂは、前記電磁波供給手段が供給する前記電磁波の波長λ、前記電磁波の前記導波管内における伝送モードＴＭｍｎに対して、λ＞１／{（ｍ／２ａ）２＋（ｎ／２ｂ）２}１／２である、請求項２〜６のいずれか１項に記載のインクジェットプリンタ。
【請求項８】
前記送風手段は、前記記録媒体の前記導波管内の通過方向に沿って前記気体を流通させる、請求項１に記載のインクジェットプリンタ。
【請求項９】
前記送風手段は、前記記録媒体が前記導波管内に入る方向から前記記録媒体が前記導波管外に出る方向に向かって前記気体を流通させる、請求項８に記載のインクジェットプリンタ。
【請求項１０】
吐出手段が、シート状の記録媒体の表面及び裏面のいずれかにインクを吐出するステップと、
電磁波供給手段が、前記吐出手段によりインクを吐出された前記記録媒体がその内部を通過することが可能なように構成された導波管内に電磁波を供給するステップと、
送風手段が、前記導波管内に気体を流通させるステップと、
前記吐出手段によりインクを吐出された前記記録媒体を、前記電磁波供給手段により電磁波を供給され、前記送風手段により気体を流通させられた前記導波管内に通過させるステップと、
を含む印刷方法。
【発明の詳細な説明】
【技術分野】
【０００１】
本発明は、インクジェットプリンタ及び印刷方法に関し、特にはインクを吐出された記録媒体を乾燥させるインクジェットプリンタ及び印刷方法に関する。
【背景技術】
【０００２】
インクジェットプリンタにおいては、紙、絹、綿、塩化ビニル等のシート状のメディア（記録媒体）の表面あるいは表裏面に対して、酸性染料、反応染料、直接染料等の染料系インクや、ソルベントインク等の有機溶剤系の顔料系インクを吐出することによって印刷を行なう。このようなインクジェットプリンタにおいては、特に工業分野において、印刷後のメディアの出荷及び納品等を迅速かつ容易に行なうために、インクを吐出されたメディアを効率良く乾燥することが重要となる。
【０００３】
このため、例えば、特許文献１では、メディア上にあるインクを乾燥させるための乾燥装置であって、メディアがそれを通って移動できるように構成されたスロットを備える導波管と、電界の方向とメディア内における繊維の縦軸との間に形成される角度が１０度を超え、９０度以下になるように、導波管内に電界を生じさせるように構成されている電磁エネルギー源とを備えた乾燥装置が開示されている。
【特許文献１】特開２００３−２２８９０号公報
【発明の開示】
【発明が解決しようとする課題】
【０００４】
しかしながら、上記技術のようにメディアが導波管内を通過可能なようにして、導波管内に電磁波を供給してメディアの乾燥を行なう技術では、メディアに吐出されたインク中の水分が蒸発して導波管内に滞留することによって、水蒸気が電磁波のエネルギーを吸収し、電磁波によるメディアの乾燥の効率が低下してしまう問題がある。このため、さらにメディアの乾燥の効率を高めたインクジェットプリンタ及び印刷方法が望まれている。
【０００５】
本発明は、斯かる実情に鑑みなされたものであり、その目的は、メディアの乾燥の効率を向上させることが可能なインクジェットプリンタ及び印刷方法を提供することにある。
【課題を解決するための手段】
【０００６】
本発明は、シート状の記録媒体の表面及び裏面のいずれかにインクを吐出する吐出手段と、吐出手段によりインクを吐出された記録媒体が、その内部を通過することが可能なように構成された導波管と、導波管内に電磁波を供給する電磁波供給手段と、導波管内に気体を流通させる送風手段と、を備えたインクジェットプリンタである。
【０００７】
この構成によれば、記録媒体にインクを吐出する吐出手段と、吐出手段によりインクを吐出された記録媒体が、その内部を通過することが可能なように構成された導波管と、導波管内に電磁波を供給する電磁波供給手段とを備えるため、導波管内に供給された電磁波により、印刷後の記録媒体を連続した工程で効率良く乾燥させることが可能となる
【０００８】
また、この構成によれば、送風手段が導波管内に気体を流通させるため、電磁波によって記録媒体に吐出されたインク中の水分が蒸発したときに、当該水蒸気は導波管内を流通する気体によって管外に排出されるため、水蒸気が電磁波のエネルギーを吸収して乾燥の効率を低下させることを防ぎ、記録媒体の乾燥の効率を向上させることが可能となる。
【０００９】
この場合、送風手段は、導波管の長手方向に沿って気体を流通させるものとできる。
【００１０】
この構成によれば、送風手段は導波管の長手方向に沿って気体を流通させるため、導波管内に気体を流通させることが比較的容易であり、送風手段の数を少なくして、単純な装置構造とすることが可能となる。
【００１１】
この場合、送風手段は、導波管の長手方向における電磁波供給手段が電磁波を供給する側から、電磁波が導波管内を伝播する方向に向かって気体を流通させることが好適である。
【００１２】
この構成によれば、気体は、電磁波供給手段が電磁波を供給する側から電磁波が導波管内を伝播する方向に向かって流通するため、記録媒体に吐出されたインク中から蒸発した水蒸気が電磁波供給手段から離れるようにすることができる。そのため、水蒸気によりスパーク等が生じる可能性を低減することが可能となる。
【００１３】
また、送風手段は、導波管の長手方向における一端から気体を送気し、導波管の長手方向における他端から気体を吸気することにより気体を流通させることが好適である。
【００１４】
この構成によれば、導波管の一端から気体を送気し、導波管の他端から気体を吸気して、導波管の両端から気体を流通させるため、導波管内に気体を効率良く流通させることが可能となる。
【００１５】
一方、送風手段は、導波管内を通過する記録媒体の表面及び裏面のいずれかに対して垂直方向に気体を流通させるものとできる。
【００１６】
この構成によれば、インクが吐出された記録媒体に対して垂直方向に気体が流通することになり、記録媒体から蒸発した水蒸気を除去する効果を高めることが可能となる。
【００１７】
この場合、送風手段は、記録媒体の表面及び裏面のいずれかの内で吐出手段がインクを供給した方に対して気体を流通させることとできる。
【００１８】
この構成では、送風手段が、記録媒体の表面及び裏面のいずれかの内で吐出手段がインクを供給した方に対して気体を流通させることにより、少ない送風手段で、効率良く記録媒体から蒸発した水蒸気を除去することが可能となる。
【００１９】
さらに、導波管は、送風手段が流通させる気体が流入する流入口部と、送風手段が流通させる気体が流出する流出口部とを有し、流入口部及び流出口部は、気体がその内部を流通可能に構成された単数及び複数のいずれかの角管部を含み、角管部の気体の流通方向に垂直な横断面における各内壁面の長さａ及びｂは、電磁波供給手段が供給する電磁波の波長λ、電磁波の導波管内における伝送モードＴＭｍｎに対して、λ＞１／{（ｍ／２ａ）２＋（ｎ／２ｂ）２}１／２であることが好適である。
【００２０】
この構成によれば、送風手段が流通させる気体が流入する流入口部と、送風手段が流通させる気体が流出する流出口部とは角管部を含み、角管部の気体の流通方向に垂直な横断面における各内壁面の長さａ及びｂは、電磁波供給手段が供給する電磁波の波長λ、電磁波の導波管内における伝送モードＴＭｍｎに対して、λ＞１／{（ｍ／２ａ）２＋（ｎ／２ｂ）２}１／２と電磁波の遮断波長未満となるようにされているため、流入口部及び流出口部から電磁波が漏出することを防止できる。
【００２１】
一方、送風手段は、記録媒体の導波管内の通過方向に沿って気体を流通させることが好適である。
【００２２】
この構成によれば、気体は、記録媒体の導波管内における通過方向に沿って流通するため、シート状の記録媒体を導入した気体によって安定させて導波管内を通過させることが可能となる。これにより、記録媒体の揺動により、記録媒体が導波管に接触したり、導波管内の電界が乱れることを防止することができる。
【００２３】
この場合、送風手段は、記録媒体が導波管内に入る方向から記録媒体が導波管外に出る方向に向かって気体を流通させることが好適である。
【００２４】
この構成によれば、気体は、記録媒体が導波管内に入る方向から記録媒体が導波管外に出る方向に向かって流通するため、気体の流通により記録媒体が揺動することをより効果的に低減することができる。
【００２５】
また、本発明は、吐出手段が、シート状の記録媒体の表面及び裏面のいずれかにインクを吐出するステップと、電磁波供給手段が、吐出手段によりインクを吐出された記録媒体がその内部を通過することが可能なように構成された導波管内に電磁波を供給するステップと、送風手段が、導波管内に気体を流通させるステップと、吐出手段によりインクを吐出された記録媒体を、電磁波供給手段により電磁波を供給され、送風手段により気体を流通させられた導波管内に通過させるステップとを含む印刷方法である。
【発明の効果】
【００２６】
本発明のインクジェットプリンタ及び印刷方法によれば、記録媒体の乾燥の効率を向上させることが可能となる。
【発明を実施するための最良の形態】
【００２７】
以下、本発明の実施の形態について添付図面を参照して説明する。
【００２８】
図１は、本発明の第１実施形態に係るインクジェットプリンタを示す斜視図である。図１に示すように、本実施形態のインクジェットプリンタ１０は、基台１２上にプリンタ部１４と、導波管１００ａが搭載されている。プリンタ部１４は、メディアに吐出する各種のインクを貯蔵したトナー部１６と、ユーザが操作入力を行なう操作部１８とを備えている。導波管１００ａの一端側には、導波管１００ａ内部に電磁場を供給するためのマグネトロン１５０が取り付けられている。
【００２９】
導波管１００ａのマグネトロン１５０が取り付けられた側の末端部には、複数の角管部からなる送気口部８１が備えられている。送気口部８１の直上には、送気口部８１に送気する送気機７１が備えられている。導波管１００ａのマグネトロン１５０が取り付けられた側とは反対側の末端部には、複数の角管部からなる吸気口部８２が備えられている。吸気口部８２の直上には、吸気口部８２に送気する吸気機７２が備えられている。
【００３０】
図２は、第１実施形態に係るインクジェットプリンタ１０におけるメディアを印刷及び乾燥する様子を示す図である。図２に示すように、本実施形態のインクジェットプリンタ１０は、プリンタ部１４に挿入された紙、絹、綿、塩化ビニル等のシート状のメディア５０は、ローラ２０，２２によって搬送される。ローラ２０，２２によって搬送されたメディア５０は、プラテン２４上においてインクジェットヘッド２６から、酸性染料、反応染料、直接染料等の染料系インクや、ソルベントインク等の有機溶剤系の顔料系インクを表面に吐出される。
【００３１】
インクを表面に吐出されたメディア５０は、導波管１００ａのメディア導入口部１０８から導波管本体部１０６の内部に導入される。導波管本体部１０６の内部には、図１に示したマグネトロン１５０から電磁波が供給される。マグネトロン１５０が供給する電磁波は、波長１００μｍ〜１ｍ、周波数３００ＭＨｚ〜３ＴＨｚのマイクロ波であり、より好ましくは、波長０．０７５ｍ〜０．１５ｍ、周波数２〜４ＧＨｚのマイクロ波である。電磁波が供給された導波管本体部１０６内において、メディア５０は表面に吐出されたインクを乾燥させられる。導波管本体部１０６の内部に導入されたメディア５０は、メディア導出口部１１０から導出される。
【００３２】
図３は、第１実施形態に係る導波管を模式的に示す斜視図である。図３に示すように、本実施形態においては、図中Ｘ軸方向で示される導波管１００ａの長手方向（マグネトロン１５０からの電磁波が進行する方向）に沿って、導波管１００ａ内を空気が流通するように構成されている。導波管１００ａのマグネトロン１５０が配置されている側には、送気口部８１と送気機７１が配置され、導波管１００ａのマグネトロン１５０が配置されている側の反対側には、吸気口部８２と吸気機７２が配置されている。このため、導波管１００ａ内は、電磁波が進行する方向と同方向に空気が流通する。
【００３３】
図４は、図３の送気口部８１を拡大して示す斜視図である。図４に示すように、送気口部８１は、複数の角管部８３を有している。角管部８３それぞれの内壁面の長さａ及びｂは、マグネトロン１５０が供給する電磁波の波長λ、電磁波の導波管１００ａ内における伝送モードＴＭｍｎに対して、λ＞１／{（ｍ／２ａ）２＋（ｎ／２ｂ）２}１／２となるようにされている。すなわち、角管部８３それぞれにより形成される導波路は、その遮断波長が、マグネトロン１５０が供給する電磁波の波長λよりも小さくなるように構成されている。例えば、角管部８３それぞれの内壁面の長さａ＝ｂ＝０．０２〔ｍ〕として構成した場合は、導波管１００ａに供給される電磁波の伝送モードがＴＭ１０であるときは、その遮断波長λｃ＝０．０４〔ｍ〕、遮断周波数は約７．５ＧＨｚとなる。したがって、導波管１００ａにマグネトロン１５０が供給する電磁波の周波数が７．５ＧＨｚ未満である場合には、角管部８３の遮断波長λｃは、マグネトロン１５０が供給する電磁波の波長λよりも小さくなる。吸気口部８２においても上記送気口部８１と同様の構成を有する。
【００３４】
インクジェットプリンタ１０の動作時には、インクジェットヘッド２６がメディア５０の表面にインクを吐出して印刷を行なう。マグネトロン１５０は、導波管１００ａ内に電磁波を供給する。また、送気機７１及び吸気機７２は、導波管１００ａ内に空気を流通させる。ローラ２０，２２は、電磁波を供給され、空気が流通している導波管１００ａ内にインクを吐出されたメディア５０を通過させる。
【００３５】
本実施形態によれば、メディア５０にインクを吐出するインクジェットヘッド２６と、インクジェットヘッド２６によりインクを吐出されたメディア５０が、その内部を通過することが可能なように構成された導波管１００ａと、導波管１００ａ内に電磁波を供給するマグネトロン１５０とを備えるため、導波管１００内に供給された電磁波により、印刷後のメディア５０を連続した工程で効率良く乾燥させることが可能となる。
【００３６】
また、本実施形態によれば、送気機７１及び吸気機７２が導波管１００ａ内に空気を流通させるため、電磁波によってメディア５０に吐出されたインク中の水分が蒸発したときに、当該水蒸気は導波管１００ａ内を流通する空気によって管外に排出されるため、水蒸気が電磁波のエネルギーを吸収して乾燥の効率を低下させることを防ぎ、メディア５０の乾燥の効率を向上させることが可能となる。
【００３７】
さらに、本実施形態によれば、送気機７１及び吸気機７２は導波管１００ａの長手方向に沿って空気を流通させるため、導波管１００ａ内に空気を流通させることが比較的容易であり、送気機７１及び吸気機７２の数を少なくして、単純な装置構造とすることが可能となる。
【００３８】
加えて、本実施形態では、空気は、マグネトロン１５０が電磁波を供給する側から電磁波が導波管１００ａ内を伝播する方向に向かって流通するため、メディア５０に吐出されたインク中から蒸発した水蒸気がマグネトロン１５０から離れるようにすることができる。そのため、水蒸気がマグネトロン１５０のアンテナに付着してスパーク等が生じる可能性を低減することが可能となる。特に、本実施形態では、マグネトロン１５０からの電磁波が導波管１００ａ内を伝播する方向とは反対側に、送気機７１が設けられているため、送気機７１が、マグネトロン１５０からの電磁波により動作に支障をきたすことを防止できる。
【００３９】
一方、本実施形態では、導波管１００ａの一端から送気機７１が空気を送気し、導波管１００ａの他端から吸気機７２が空気を吸気して、導波管１００ａの両端から空気を流通させるため、導波管１００ａ内に空気を効率良く流通させることが可能となる。
【００４０】
さらに、本実施形態では、送気機７１が流通させる空気が流入する送気口部８１と、吸気機７２が流通させる空気が流出する吸気口部８２とは複数の角管部８３を含み、角管部８３の空気の流通方向に垂直な横断面における各内壁面の長さａ及びｂは、マグネトロン１５０が供給する電磁波の波長λ、電磁波の導波管１００ａ内における伝送モードＴＭｍｎに対して、λ＞１／{（ｍ／２ａ）２＋（ｎ／２ｂ）２}１／２と電磁波の遮断波長未満となるようにされているため、送気口部８１及び吸気口部８２から電磁波が漏出することを防止できる。
【００４１】
なお、本実施形態におけるインクジェットプリンタ１０によれば、紙、絹、綿、塩化ビニル等のシート状のメディア５０について、酸性染料、反応染料、直接染料等の染料系インクや、ソルベントインク等の有機溶剤系の顔料系インクを用いて印刷を行い、連続して乾燥を行うことが可能となる。
【００４２】
紙、絹、綿、塩化ビニル等のシート状のメディア５０に対して、水性インクあるいは溶剤インクを用いた場合、染料系のインクである酸性染料及び反応染料においては、メディア５０の繊維内にインクが浸透し、繊維内でインクが反応することによって、染色が行なわれる。そのため、本実施形態のように、導波管１００ａによりメディア５０に電磁波を供給することにより、メディア５０の繊維内でのインクの反応が促進され、乾燥の速度を向上させることができる。
【００４３】
また、有機溶剤系の顔料系インクであるソルベントインクにおいては、インク内に樹脂が含まれており、当該樹脂によりメディア５０の表面への染色を行なう。そのため、本実施形態のように、導波管１００ａによりメディア５０に電磁波を供給することにより、ソルベントインクの樹脂に含まれる水分の乾燥が促進され、乾燥の速度を向上させることができる。
【００４４】
一方、染料系のインクである直接染料においては、メディア５０の繊維内にインクが浸透せず、メディア５０の表面にインクが付着することによって染色が行なわれる。しかし、直接染料においても、インク内に樹脂を含ませることにより、樹脂に含まれる水分の乾燥が促進されることになるため、本実施形態のように、導波管１００ａによりメディア５０に電磁波を供給することにより、乾燥の速度を向上させることができる。
【００４５】
以下、本発明の第２実施形態について説明する。図５は、第２実施形態に係る導波管を示す斜視図である。図５に示すように、本実施形態では、図中Ｙ軸方向で示される導波管１００ｂを通過するメディア５０の表面に対して垂直に空気が流通する点が、上記第１実施形態と異なっている。
【００４６】
図５に示すように、図中Ｙ軸方向に沿って、上記第１実施形態と同様の送気機７１及び送気口部８１が２個設けられている。送気口部８１は、第１実施形態と同様の角管部８３を含んでいる。図の例では、図中Ｙ軸方向で示される導波管１００ｂを通過するメディア５０の表面及び裏面の何れの側に対しても垂直に空気が噴出されるようにされているが、図中Ｙ軸方向に沿って、上記第１実施形態と同様の吸気機７２及び吸気口部８２を２個設け、図中Ｙ軸方向で示される導波管１００ｂを通過するメディア５０の表面及び裏面の何れの側に対しても垂直に空気を吸気するようにしても良い。この態様では、メディア５０の表面及び裏面に対して同様に空気を流通させるため、メディア５０の揺動を抑制することができる。
【００４７】
あるいは、メディア５０のインクジェットヘッド２６によりインクを吐出された側にのみ送気機７１及び送気口部８１あるいは吸気機７２及び吸気口部８２を設け、メディア５０の片側にのみ、空気を流通させることとしても良い。この態様では、少ない送気機７１あるいは吸気機７２で、効率良くメディア５０から蒸発した水蒸気を除去することが可能となる。
【００４８】
なお、送気機７１及び送気口部８１あるいは吸気機７２及び吸気口部８２は、メディア５０の幅に応じて、図中Ｘ軸方向で示す導波管１００ｂの長手方向に沿って複数個並べて設けられる。
【００４９】
本実施形態のインクジェットプリンタ１０の動作時には、送気口部８１から供給された空気は、メディア５０の表面あるいは裏面に垂直に供給され、メディア５０の表面あるいは裏面沿いにメディア導入部１０８及びメディア導出部１１０から導波管１００ｂ外に排気される。一方、吸気口部８２から吸気されると、メディア５０の表面あるいは裏面沿いにメディア導入部１０８及びメディア導出部１１０から導波管１００ｂ内に空気が導入され、メディア５０の表面あるいは裏面に垂直に水蒸気が導波管１００ｂ外に排気される。
【００５０】
本実施形態では、インクが吐出されたメディア５０に対して垂直方向に空気が流通することになり、メディア５０から蒸発した水蒸気を除去する効果を高めることが可能となる。
【００５１】
以下、本発明の第３実施形態について説明する。図６は、第３実施形態に係る導波管のＸＺ平面における断面図である。図６に示すように、本実施形態においては、送気機７１は、メディア５０の導波管１００ｃ内の通過方向に沿って空気を流通させる点が上記第１実施形態と異なっている。送気機７１は、メディア導入部１０９の直上に配置されている。メディア導入部１０９は、導波管１００ｃの内側に向かうにつれて幅が狭くなるテーパ部１０９ａを有している。テーパ部１０９ａにより送気機７１からの空気は、効率良く収束させられ、導波管１００ｃ内に導入される。導入された空気は、メディア５０の表面及び裏面にそれぞれ平行なメディア導出壁１１１ａ，１１１ｂからなるメディア導出部１１１から導出される。なお、メディア導出部１１１が、メディア導入部１０９と同様に、導波管１００ｃの内側に向かうにつれて幅が狭くなるテーパ部を有するものとし、メディア導出部１１１の直下に送気機７１を配置して、空気を、メディア５０が導波管１００ｃ内から出る方向からメディア５０が導波管１００ｃ内に入る方向に向かって流通させることも可能である。
【００５２】
本実施形態においては、空気は、メディア５０の導波管１００ｃ内における通過方向に沿って流通するため、導入した空気によって、シート状のメディア５０を安定させて導波管１００ｃ内を通過させることが可能となる。これにより、メディア５０の揺動により、メディア５０が導波管１００ｃに接触したり、導波管１００ｃ内の電界が乱れることを防止することができる。
【００５３】
特に本実施形態においては、空気は、メディア５０が導波管１００ｃ内に入る方向からメディア５０が導波管１００ｃ外に出る方向に向かって流通するため、空気の流通によりメディア５０が揺動することをより効果的に低減することができる。
【００５４】
尚、本発明は、上記した実施の形態に限定されるものではなく、本発明の要旨を逸脱しない範囲内において種々変更を加え得ることは勿論である。例えば、本実施形態では、導波管内に空気を送風する態様を中心に説明したが、例えば、導波管内に希ガス等を流通させることとしても良い。
【図面の簡単な説明】
【００５５】
【図１】第１実施形態に係るインクジェットプリンタを示す斜視図である。
【図２】第１実施形態に係るインクジェットプリンタにおける記録媒体を印刷及び乾燥する様子を示す図である。
【図３】第１実施形態に係る導波管を模式的に示す斜視図である。
【図４】図３の送気口部を拡大して示す斜視図である。
【図５】第２実施形態に係る導波管を示す斜視図である。
【図６】第３実施形態に係る導波管のＸＺ平面における断面図である。
【符号の説明】
【００５６】
１０…インクジェットプリンタ、１２…基台、１４…プリンタ部、１６…トナー部、１８…操作部、２０，２２…ローラ、２４…プラテン、２６…インクジェットヘッド、５０…メディア、７１…送気機、７２…吸気機、８１…送気口部、８２…吸気口部、８３…角管部、１００ａ，１００ｂ，１００ｃ…導波管、１０６…導波管本体部、１０８，１０９…メディア導入部、１０９ａ…テーパ部、１１０，１１１…メディア導出部、１１１ａ，１１１ｂ…メディア導出壁、１５０…マグネトロン。
【図１】
2010005915.tif 000003
【図２】
2010005915.tif 000004
【図３】
2010005915.tif 000005
【図４】
2010005915.tif 000006
【図５】
2010005915.tif 000007
【図６】
2010005915.tif 000008